(57)【要約】【課題】帯状に発生する明部の視認性を抑制し、発光面の均一性を向上させることができる面光源措置を提供すること。【解決手段】面光源装置は、筐体と、第１方向に配置された複数の発光装置を含む発光装置列と、反射調整部を含む反射板と、光拡散板とを有する。反射調整部は、第１方向に沿って交互に配置された第１反射部および第２反射部を含む。第１方向において、隣接する２つの発光装置間の中心間距離は、隣接する第１反射部および第２反射部の合計の繰り返し長さと異なる。【選択図】図４
2020161370.tif 000002
【特許請求の範囲】
【請求項１】
底板および前記底板の反対側に配置された開口部を有する筐体と、
前記底板上において、第１方向に配列された発光装置列と、
前記底板上に配置され、前記発光装置列から出射された光を反射させる反射板と、
前記開口部を覆うように配置され、前記発光装置列からの光を拡散させつつ透過させる光拡散板と、
を有し、
前記発光装置列は、発光素子および前記発光素子から出射された光の配光を制御する光束制御部材をそれぞれ含む複数の発光装置が、前記第１方向に一定の間隔で配置されており、
前記光束制御部材は、
前記発光素子から出射された光を入射させる前記底板側に形成された入射面と、
前記入射面で入射した光の少なくとも一部を、前記反射板に沿い、かつ前記第１方向に直交する第２方向に沿い、かつ互いに略反対向きである方向に反射させる前記光拡散板側に形成された２つの反射面と、
前記反射面で反射した光を外部に出射させる２つの出射面と
を含み、
前記反射板は、前記第１方向に沿って、前記発光装置列と平行に配置され、前記発光装置列から出射された光の反射量を調整する反射調整部を有し、
前記反射調整部は、
前記発光装置列から出射された光を前記光拡散板に向けて反射させる第１反射部と、
前記第１反射部よりも反射率の低い第２反射部と、
を含み、
前記第１反射部および前記第２反射部は、前記第１方向に沿って交互に配置されており、
前記第１方向において、隣接する２つの前記発光装置間の中心間距離は、隣接する前記第１反射部および前記第２反射部の合計の繰り返し長さと異なる、
面光源装置。
【請求項２】
前記反射調整部は、前記第２方向に沿う方向において前記発光装置列を挟むように、前記発光装置列の両側にそれぞれ配置されている、請求項１に記載の面光源装置。
【請求項３】
前記発光装置列は、前記第２方向に複数配列されており、
前記第２方向に沿ってみたときに、一の前記発光装置列における複数の発光装置は、他の前記発光装置列における複数の発光装置のそれぞれと一致しておらず、
前記反射調整部は、前記第２方向に複数配列されており、
前記第２方向に沿ってみたときに、一の前記反射調整部における複数の前記第１反射部および複数の前記第２反射部のそれぞれは、他の前記反射調整部における複数の前記第１反射部および複数の前記第２反射部のそれぞれと一致していない、
請求項１または請求項２に記載の面光源装置。
【請求項４】
前記第１反射部における波長５５０ｎｍの光の反射率をＲ１５５０、波長６３０ｎｍの光の反射率をＲ１６３０とし、前記第２反射部における波長４５０ｎｍの光の反射率をＲ２４５０、波長５５０ｎｍの光の反射率をＲ２５５０、波長６３０ｎｍの光の反射率をＲ２６３０としたとき、
前記第１反射部および前記第２反射部は、下記式（１）〜式（３）を満たす、
Ｒ１５５０＞Ｒ２５５０    式（１）
Ｒ１６３０＞Ｒ２６３０    式（２）
Ｒ２４５０＞Ｒ２５５０、Ｒ２６３０≧６０％    式（３）
請求項１〜３のいずれか一項に記載の面光源装置。
【請求項５】
請求項１〜４のいずれか一項に記載の面光源装置と、
前記光拡散板の上に配置された表示部材と、を有する、
表示装置。
【発明の詳細な説明】
【技術分野】
【０００１】
本発明は、面光源装置および表示装置に関する。
【背景技術】
【０００２】
液晶表示装置などの透過型画像表示装置では、表示パネルを均一に照らすために面光源装置を使用することがある。このような面光源装置は、光源から出射された光を導光板で面方向に拡げて、表示パネルに向かって照射する（例えば、特許文献１参照）。
【０００３】
特許文献１に記載の表示装置は、バックライトアッセンブリ（面光源装置）と、表示パネルとを有する。バックライトアッセンブリは、第１導光板と、第２導光板と、光源部と、蓋部と、プリントシートとを有する。第１導光板および第２導光板は、同一平面上に離間して配置されている。光源部は、第１導光板と、第２導光板との間に配置されている。蓋部は、光源部の直上であって、かつ第１導光板および第２導光板の一部にそれぞれ重なるように配置されている。光源部は、第１導光板と対向して配置された第１光源と、第２導光板と対向して配置された第２光源とを有している。プリントシートは、光源部と蓋部との間に配置されている。プリントシートは、フィルムおよびプリントパターンを有する。プリントパターンは、第１光源または第２光源と対応する位置に形成されており、第１光源または第２光源から遠ざかるほど、小さくなるように形成されている。
【０００４】
特許文献１に記載の表示装置では、光源部が第１導光板と、第２導光板と、蓋部とにより囲まれている。光源部から出射され、第１導光板および第２導光板に向かって進行した光は、第１導光板および第２導光板でそれぞれ導光されて、表示パネルに到達する。光源部から出射され、蓋部に向かって進行した光は、プリントシートを透過して蓋部に到達する。特許文献１に記載の表示装置では、プリントシートのプリントパターンにより、第１光源および第２光源に起因する輝線や暗線などが発生することを抑制している。
【先行技術文献】
【特許文献】
【０００５】
【特許文献１】特開２０１３−０４１８１７号公報
【発明の概要】
【発明が解決しようとする課題】
【０００６】
しかしながら、特許文献１に記載された表示装置では、プリントパターンが形成された領域の輝度と、プリントパターンが形成されていない領域の輝度とが同じになるように調整されるが、輝度ムラが帯状に残ってしまうという問題があった。
【０００７】
本発明の目的は、帯状に発生する明部の視認性を抑制し、発光面の均一性を向上させることができる面光源装置および表示装置を提供することである。
【課題を解決するための手段】
【０００８】
本発明に係る面光源装置は、底板および前記底板の反対側に配置された開口部を有する筐体と、前記底板上において、第１方向に配列された発光装置列と、前記底板上に配置され、前記発光装置列から出射された光を反射させる反射板と、前記開口部を覆うように配置され、前記発光装置列からの光を拡散させつつ透過させる光拡散板と、を有し、前記発光装置列は、発光素子および前記発光素子から出射された光の配光を制御する光束制御部材をそれぞれ含む複数の発光装置が、前記第１方向に一定の間隔で配置されており、前記光束制御部材は、前記発光素子から出射された光を入射させる前記底板側に形成された入射面と、前記入射面で入射した光の少なくとも一部を、前記反射板に沿い、かつ前記第１方向に直交する第２方向に沿い、かつ互いに略反対向きである方向に反射させる前記光拡散板側に形成された２つの反射面と、前記反射面で反射した光を外部に出射させる２つの出射面とを含み、前記反射板は、前記第１方向に沿って、前記発光装置列と平行に配置され、前記発光装置列から出射された光の反射量を調整する反射調整部を有し、前記反射調整部は、前記発光装置列から出射された光を前記光拡散板に向けて反射させる第１反射部と、前記第１反射部よりも反射率の低い第２反射部と、を含み、前記第１反射部および前記第２反射部は、前記第１方向に沿って交互に配置されており、前記第１方向において、隣接する２つの前記発光装置間の中心間距離は、隣接する前記第１反射部および前記第２反射部の合計の繰り返し長さと異なる。
【０００９】
本発明に係る表示装置は、本発明に係る面光源装置と、前記光拡散板の上に配置された表示部材と、を有する。
【発明の効果】
【００１０】
本発明によれば、帯状に発生する明部の視認性を抑制し、発光面の均一性を向上させることができる面光源装置および表示装置を提供できる。
【図面の簡単な説明】
【００１１】
【図１】図１Ａ〜Ｃは、本発明の実施の形態１に係る面光源装置の構成を示す図である。
【図２】図２Ａ、Ｂは、本発明の実施の形態１に係る面光源装置の構成を示す図である。
【図３】図３Ａ〜Ｅは、光束制御部材の構成を示す図である。
【図４】図４Ａ、Ｂは、第２反射部の具体例を示す模式図である。
【図５】図５Ａ、Ｂは、発光装置間のピッチと、第１反射部および第２反射部の合計の長さとの関係を示す図である。
【図６】図６は、本発明の実施の形態２に係る面光源装置の構成を示す図である。
【発明を実施するための形態】
【００１２】
以下、本発明に係る実施の形態について、図面を参照して詳細に説明する。
【００１３】
［実施の形態１］
（面光源装置の構成）
図１Ａ〜Ｃおよび図２Ａ、Ｂは、本実施の形態に係る面光源装置１００の構成を示す図である。図１Ａは、面光源装置１００の平面図であり、図１Ｂは、側面図であり、図１Ｃは、正面図である。図２Ａは、光拡散板１５０を外した平面図であり、図２Ｂは、図１ＡにおけるＡ−Ａ線の部分拡大断面図である。なお、図２Ｂでは、発光装置１３０の大きさを大きく表示している。
【００１４】
図１Ａ〜Ｃおよび図２Ａ、Ｂに示されるように、面光源装置１００は、筐体１１０と、基板１２０と、複数の発光装置１３０を含む発光装置列１３０Ａと、反射板１４０と、光拡散板１５０とを有する。また、図１Ｃに示されるように、面光源装置１００は、液晶パネルなどの表示部材（被照射部材）１６０と組み合わせることで、表示装置１００’としても使用できる。
【００１５】
筐体１１０は、基板１２０、発光装置列１３０Ａおよび反射板１４０をその内部に収容する。筐体１１０は、少なくとも一部が開口した箱である。筐体１１０は、底板１１１と、底板１１１の反対側に配置された開口部を有する。具体的には、筐体１１０は、底板１１１の表面である底面１１１ａと、２つの第１傾斜面１１２と、２つの第２傾斜面１１３とを有する。
【００１６】
底面１１１ａは、水平面である。底板１１１の上面には、基板１２０および反射板１４０が配置されている。
【００１７】
２つの第１傾斜面１１２および２つの第２傾斜面１１３は、それぞれ底面１１１ａを挟むように配置され、かつ発光素子１３１から離れるにつれて光拡散板１５０に近づくように傾斜した面である。２つの第１傾斜面１１２および２つの第２傾斜面１１３は、発光装置列１３０Ａから略水平方向に出射される光を光拡散板１５０に向けて反射させて、発光装置列１３０Ａから出射される光を光拡散板１５０に集めやすくできる。すなわち、第１傾斜面１１２および第２傾斜面１１３は、それぞれ反射面として機能しうる。第１傾斜面１１２および第２傾斜面１１３は、それぞれ平面であってもよいし、曲面であってもよい。本実施の形態では、第１傾斜面１１２および第２傾斜面１１３は、いずれも平面である。
【００１８】
第１傾斜面１１２の底面１１１ａに対する傾斜角は、例えば６〜９°であり、第２傾斜面１１３の底面１１１ａに対する傾斜角は、例えば４０〜５０°である。なお、第１傾斜面１１２（または第２傾斜面１１３）の底面１１１ａに対する傾斜角とは、第１傾斜面１１２（または第２傾斜面１１３）と底面１１１ａとのなす角度のうち小さい角度をいう。また、底面１１１ａの一部が傾斜している場合、底面１１１ａに対する傾斜角は、底面１１１ａの水平部に対する傾斜角を意味する。筐体１１０をこのような形状とすることで、面光源装置１００の見かけの厚みを薄くできる。
【００１９】
筐体１１０の底面１１１ａと対向する側（本実施の形態では、底面１１１ａ、２つの第１傾斜面１１２および２つの第２傾斜面１１３と対向する側）には、開口部が設けられている。筐体１１０の開口部の大きさは、光拡散板１５０に形成される発光領域の大きさに相当し、例えば４００ｍｍ×７００ｍｍ（３２インチ）である。この開口部は、光拡散板１５０により塞がれる。底面１１１ａの表面から光拡散板１５０までの高さ（空間厚さ）は、特に限定されないが、１０〜４０ｍｍ程度である。そして、筐体１１０は、例えば、ポリメタクリル酸メチル（ＰＭＭＡ）やポリカーボネート（ＰＣ）などの樹脂や、ステンレス鋼やアルミニウムなどの金属などから構成される。
【００２０】
基板１２０は、筐体１１０の底板１１１（底面１１１ａ）上に配置されている。基板１２０は、発光装置列１３０Ａを筐体１１０内に所定の間隔で配置するための平板である。基板１２０の表面は、発光装置列１３０Ａから到達した光を光拡散板１５０に向けて反射させる。すなわち、基板１２０の表面は、反射面としても機能しうる。
【００２１】
発光装置列１３０Ａは、複数の発光装置１３０を有する。発光装置列１３０Ａの数は、特に限定されない。発光装置列１３０Ａは、１列でもよいし、複数列でもよい。本実施の形態では、発光装置列１３０Ａは、１列である。発光装置列１３０Ａが複数列の場合については、後述する（実施の形態２参照）。
【００２２】
複数の発光装置１３０は、発光素子１３１および発光素子１３１から出射された光の配光を制御する光束制御部材１３２をそれぞれ含む。
【００２３】
発光素子１３１は、基板１２０上に配置されている。発光素子１３１は、面光源装置１００（および発光装置１３０）の光源であり、上面および側面の上端部から光を出射する。発光素子１３１は、例えば発光ダイオード（ＬＥＤ）である。発光素子１３１の発光中心付近から出射される光の色は、適宜選択できる。発光素子１３１の発光中心付近から出射される光の色は、白色であってもよいし、青色であってもよい。本実施の形態では、発光素子１３１の発光中心付近から出射される光の色は、白色である。また、発光素子１３１から出射された光を、光束制御部材１３２の入射面１７１に効率よく入射させる観点から、発光素子１３１の発光面の高さは、光束制御部材１３２の裏面１７６と同じかそれよりも高いことが好ましい。
【００２４】
光束制御部材１３２は、発光素子１３１から出射された光の配光を制御する。光束制御部材１３２は、その中心軸ＣＡが発光素子１３１の光軸ＯＡに一致するように、発光素子１３１の上に配置されている（図２Ｂ参照）。「発光素子１３１の光軸ＯＡ」とは、発光素子１３１からの立体的な出射光束の中心の光線を意味する。「光束制御部材１３２の中心軸ＣＡ」とは、例えば２回対称の対称軸を意味する。また、光束制御部材１３２は、発光素子１３１から出射される光を、後述する２つの出射面１７３から２つの第１傾斜面１１２に向かって出射するように（後述する２つの出射面１７３が、２つの第１傾斜面１１２とそれぞれ対向するように）配置される。
【００２５】
以下、各発光装置１３０について、発光素子１３１の発光中心を原点として、発光素子１３１の光軸ＯＡに平行な軸をＺ軸とし、Ｚ軸と直交し、複数の発光装置１３０が並ぶ方向（発光装置列１３０Ａに沿う方向）に平行な軸をＹ軸とし、Ｚ軸およびＹ軸と直交する軸をＸ軸とする。また、発光装置列１３０Ａの配列方向（複数の発光装置１３０の配置方向）を第１方向（Ｙ方向）とし、基板１２０の表面に沿い、第１方向に直交する方向を第２方向（Ｘ方向）とする。
【００２６】
光束制御部材１３２の材料は、所望の波長の光を通過させ得るものであれば特に限定されない。たとえば、光束制御部材１３２の材料は、ポリメタクリル酸メチル（ＰＭＭＡ）やポリカーボネート（ＰＣ）、エポキシ樹脂（ＥＰ）などの光透過性樹脂、またはガラスである。
【００２７】
図３Ａ〜Ｅは、光束制御部材１３２の構成を示す図である。図３Ａは、光束制御部材１３２の平面図であり、図３Ｂは、正面図であり、図３Ｃは、底面図であり、図３Ｄは、側面図であり、図３Ｅは、図３Ａに示されるＡ−Ａ線の断面図である。なお、以下の説明では、基板１２０側（発光素子１３１側）を「裏側」、光拡散板１５０側を「表側」とする。
【００２８】
光束制御部材１３２は、発光素子１３１から出射された光の配光を制御する。図３Ａ〜Ｅに示されるように、光束制御部材１３２は、入射面１７１と、２つの反射面１７２と、２つの出射面１７３と、２つの鍔部１７４と、４つの脚部１７５とを有する。
【００２９】
入射面１７１は、発光素子１３１から出射された光を入射させる。入射面１７１は、光軸ＯＡと交わるように、光束制御部材１３２の裏側（反射板１４０側、裏面１７６）に配置されている。入射面１７１の形状は、上記の機能を発揮できれば、特に限定されない。入射面１７１の形状は、平面であってもよいし、裏面１７６に開口した凹部１７７の内面であってもよい。本実施の形態では、入射面１７１は、裏面１７６に開口した凹部１７７の内面である。
【００３０】
凹部１７７の形状も、特に限定されない。本実施の形態では、凹部１７７は、内天面１７７ａ（第１入射面）と、それを挟んでＸ軸方向において対向した内側面１７７ｂ（第２入射面）とを有する。内天面１７７ａ（第１入射面）および内側面１７７ｂ（第２入射面）の数は、特に限定されず、それぞれ１つであってもよいし、２つ以上であってもよい。本実施の形態では、内天面１７７ａおよび内側面１７７ｂの数は、それぞれ２つである。
【００３１】
内天面１７７ａ（第１入射面）および内側面１７７ｂ（第２入射面）は、それぞれ平面であってもよいし、曲面であってもよい。本実施の形態では、内天面１７７ａは、入射した光を反射面１７２に到達させやすくする観点などから、光軸ＯＡおよびＸ軸を含む断面（仮想断面）において裏側に凸となるような曲面であり、内側面１７７ｂは、平面である。凹部１７７の内面（入射面１７１）は、他の面をさらに有していてもよい。
【００３２】
２つの反射面１７２は、入射面１７１を挟んで発光素子１３１と対向する位置（表側）に配置されている。また、２つの反射面１７２は、少なくとも内天面１７７ａで入射した光の少なくとも一部を、発光素子１３１の光軸ＯＡと略垂直であり、かつ互いに略反対向きである２つの方向（いずれもＸ軸に沿う方向）に反射させる。２つの反射面１７２は、上記仮想断面において、光軸ＯＡから離れるにつれ、Ｘ軸から離れるようにそれぞれ形成されている。具体的には、２つの反射面１７２は、仮想断面において、発光素子１３１の光軸ＯＡから端部（出射面１７３）に向かうにつれて、接線の傾きが徐々に小さくなるように（Ｘ軸に沿うように）それぞれ形成されている。
【００３３】
２つの出射面１７３は、２つの反射面１７２を挟んで（Ｘ軸方向に）対向して配置されている。２つの出射面１７３は、内天面１７７ａで入射し、反射面１７２で反射した光と、内側面１７７ｂで入射し、直接到達した光とを、それぞれ外部に（筐体１１０の第１傾斜面１１２に向かって）出射させる。
【００３４】
出射面１７３は、平面であってもよいし、曲面であってもよい。本実施の形態では、出射面１７３は、仮想断面において、光軸ＯＡと略平行な面である。「光軸ＯＡと略平行」とは、仮想断面において、光軸ＯＡと出射面１７３とのなす角度のうち小さいほうの角度が３°以下であることを意味する。なお、出射面１７３が曲面である場合には、光軸ＯＡと出射面１７３とのなす角度のうち小さいほうの角度は、仮想断面において、光軸ＯＡと、出射面１７３の仮想断面における曲線の接線とのなす角度のうち小さいほうの角度を意味する。
【００３５】
２つの鍔部１７４は、光軸ＯＡ近傍の２つの反射面１７２の間において、光軸ＯＡに対してＹ軸方向に突出するように配置されている。鍔部１７４は、光束制御部材１３２の取り扱いおよび位置合わせを容易にさせる。なお、鍔部１７４の形状は、鍔部１７４に入射した光を制御して出射できるような形状でもよい。
【００３６】
４つの脚部１７５は、裏面１７６から突出している略円柱状の部材である。脚部１７５は、発光素子１３１に対して適切な位置に光束制御部材１３２を支持する（図２Ｂ参照）。脚部１７５は、基板１２０に形成した穴部に嵌合させて位置決めに用いてもよい。また、脚部１７５は、光学的に悪影響がおよばないように考慮された上で、光束制御部材１３２を基板１２０に安定して固定できればよく、脚部１７５の位置、形状および数は、特に限定されない。本実施の形態では、脚部１７５は、裏面１７６において、入射面１７１の周囲に合計４つ配置されている。
【００３７】
反射板１４０は、発光装置列１３０Ａから出射された光の反射量を調整する反射調整部１４１を有する。反射調整部１４１の数は、特に限定されない。本実施の形態では、反射調整部１４１は、底板１１１上であって、第２の方向（Ｘ軸に沿う方向）において発光装置列１３０Ａを挟むように、発光装置列１３０Ａの両側にそれぞれ１つずつ配置されている。
【００３８】
２つの反射調整部１４１は、底面１１１ａ上の、光束制御部材１３２から出射される光が到達する、底面１１１ａの一部の領域に配置されている（図４ＡおよびＢ参照）。本実施の形態では、２つの反射調整部１４１は、光束制御部材１３２の２つの出射面が対向する方向（Ｘ軸方向）において、底面１１１ａ上の、光束制御部材１３２を挟んだ両側に配置されている。反射調整部１４１には、発光素子１３１の側面の上端部から出射される光に起因して光束制御部材１３２の出射面１７３の上端部付近から出射され、底面１１１ａに到達する黄色味の強い光（長波長側の光）が到達する。
【００３９】
なお、反射調整部１４１は、底面１１１ａ上において、光束制御部材１３２に対して、２つの出射面が対向する方向と直交する方向（Ｙ軸方向）の一方または両方には配置されていない（図２ＡおよびＢ参照）。光束制御部材１３２からＹ軸方向に出射される光は、出射面１７３から出射される光と比べて底面１１１ａ上で反射されにくく、輝度に対する寄与も少ないからである。
【００４０】
反射調整部１４１は、第１反射部１４１Ａと、第２反射部１４１Ｂとを有する。第１反射部１４１Ａおよび第２反射部１４１Ｂは、第１方向に沿って交互に配置されている。第１反射部１４１Ａは、発光装置列１３０Ａから出射された光を光拡散板１５０に向けて反射させる。第１反射部１４１Ａは、反射板１４０の表面の一部である。
【００４１】
図４Ａに示されるように、第１反射部１４１Ａおよび第２反射部１４１Ｂは、第１方向に沿って交互に配置されている。図４Ａに示す例では、発光装置１３０を挟んで対抗する位置に第１反射部１４１Ａまたは第２反射部１４１Ｂがそれぞれ配置されている。なお、発光装置１３０は、第１反射部１４１Ａおよび第２反射部１４１Ｂで挟まれるように配置されていてもよい。
【００４２】
図４Ｂに示されるように、第２反射部１４１Ｂが第１方向において、所定の周期で蛇行するように配置されていてもよい。この場合、第１の方向において、第２反射部１４１Ｂがない領域が第１反射部１４１Ａとなる。
【００４３】
第１反射部１４１Ａにおける波長５５０ｎｍの光の反射率をＲ１５５０、波長６３０ｎｍの光の反射率をＲ１６３０とし、第２反射部１４１Ｂにおける波長４５０ｎｍの光の反射率をＲ２４５０、波長５５０ｎｍの光の反射率をＲ２５５０、波長６３０ｎｍの光の反射率をＲ２６３０としたとき、第１反射部１４１Ａおよび第２反射部１４１Ｂは、下記式（１）〜式（３）を満たすことが好ましい。
Ｒ１５５０＞Ｒ２５５０    式（１）
Ｒ１６３０＞Ｒ２６３０    式（２）
Ｒ２４５０＞Ｒ２５５０、Ｒ２６３０≧６０％    式（３）
【００４４】
式（１）に示されるように、第１反射部１４１Ａの長波長側（黄色域）の反射率Ｒ１５５０、Ｒ１６３０は、第２反射部１４１Ｂの長波長側（黄色域）の反射率Ｒ２５５０、Ｒ２６３０よりも高い。つまり、第１反射部１４１Ａでは、光束制御部材１３２の出射面１７３から出射される光の反射率が維持されるため、輝度の低下を抑制できる。
【００４５】
第２反射部１４１Ｂは、第１反射部１４１Ａよりも反射率が低い。すなわち、第２反射部１４１Ｂは、発光装置列１３０Ａからの光を減少させて、光拡散板１５０に向けて反射させる。第２反射部１４１Ｂは、反射減少層１４２が島状に配置されている。第２反射部１４１Ｂの全体に対する反射減少層１４２の割合を調整することで、第２反射部１４１Ｂの反射率を調整できる。本実施の形態では、反射減少層１４２の平面視形状は、円形である。また、反射減少層１４２は、発光装置列１３０Ａから離れるにつれて、その表面積が小さくなるように形成されている。反射減少層１４２の色は、特に限定されない。反射減少層１４２の色は、反射調整部１４１の色に応じて適宜選択される。
【００４６】
式（３）に示されるように、長波長側（例えば黄色域）の反射率を、短波長側の反射率（例えば青色域）よりも低くする。それにより、発光素子１３１の側面から出射された光に起因して、光束制御部材１３２の出射面１７３の上端部付近から出射され、底面１１１ａに到達する光のうち黄色味の強い光を、第２反射部１４１Ｂで多く吸収させることができる。それにより、当該光束制御部材１３２の出射面１７３の上端部付近から出射され、底面１１１ａ上で反射される光の黄色味を低減することができる。また、これらの反射率を６０％以上とすることで、輝度の低下を抑制できる。
【００４７】
第２反射部１４１Ｂの反射率Ｒ２４５０、Ｒ２５５０およびＲ２６３０は、輝度の低下を一層抑制しやすくする観点では、低すぎないことが好ましく、８０％以上がより好ましい。
【００４８】
次に、隣接する発光装置１３０間の中心間距離と、隣接する第１反射部１４１Ａおよび第２反射部１４１Ｂの合計の繰り返し長さとの関係について説明する。図５Ａ、Ｂは、隣接する発光素子１３１間の中心間距離と、隣接する第１反射部１４１Ａおよび第２反射部１４１Ｂの合計の繰り返し長さとの関係を示す図である。
【００４９】
第１方向において、隣接する２つの発光装置１３０間の中心間距離は、隣接する第１反射部１４１Ａおよび第２反射部１４１Ｂの合計の繰り返し長さと異なる。具体的には、図５Ａに示されるように、第１方向において、隣接する２つの発光装置１３０の中心間距離Ｐ１は、隣接する第１反射部１４１Ａおよび第２反射部１４１Ｂの合計の繰り返し長さＰ２より、短くてもよい。また、図５Ｂに示されるように、Ｐ１は、Ｐ２より長くてもよい。また、特に図示しないが、Ｐ１はＰ２の倍数ではなく、Ｐ２はＰ１の倍数でもないことが好ましい。このように、発光装置１３０と、第１反射部１４１Ａまたは第２反射部１４１Ｂとは、対応して配置されていないため、帯状に発生する明部の視認性を抑制できる。
【００５０】
光拡散板１５０は、筐体１１０の開口部を覆うように配置されている。光拡散板１５０は、光透過性および光拡散性を有する板状の部材であり、光束制御部材１３２の出射面１７３からの出射光を拡散させつつ透過させる。光拡散板１５０は、例えば面光源装置１００の発光面となりうる。
【００５１】
光拡散板１５０の材料は、光束制御部材１３２の出射面１７３からの出射光を拡散させつつ透過させ得るものであれば適宜選択できる。光拡散板１５０の材料の例には、ポリメタクリル酸メチル（ＰＭＭＡ）、ポリカーボネート（ＰＣ）、ポリスチレン（ＰＳ）、スチレン・メチルメタクリレート共重合樹脂（ＭＳ）などの光透過性樹脂が含まれる。光拡散性を付与するため、光拡散板１５０は、その表面に微細な凹凸が形成されているか、または光拡散板１５０の内部にビーズなどの光拡散子が分散している。
【００５２】
本実施の形態に係る面光源装置１００では、各発光素子１３１から出射された光は、光束制御部材１３２により光拡散板１５０の広範囲を照らすように、特に第１傾斜面１１２へ向かう光（発光素子１３１の光軸ＯＡに対して略垂直方向に、かつ互いに略反対向きである２つの方向（図３ＡにおけるＸ軸方向）に向かう光）に変えられて出射される。発光装置１３０から出射された光の一部は、第１傾斜面１１２で反射されて、光拡散板１５０に到達する。また、発光装置１３０から出射された光の他の一部は、底面１１１ａ上で反射されて、光拡散板１５０に到達する。光拡散板１５０に到達したこれらの光は、光拡散板１５０によりさらに拡散されて、外部に出射される。それにより、面光源装置１００の面全体に光を行き渡らせることができる。
【００５３】
（効果）
以上のように、本実施の形態に係る面光源装置１００では、発光装置１３０の配置と、第２反射部１４１Ｂの配置が一致しておらず、かつ発光装置１３０の配列方向において、光の反射率が一定でないため、光拡散板１５０上における輝度ムラを抑制できる。
【００５４】
［実施の形態２］
（面光源装置の構成）
実施の形態２に係る面光源装置２００は、発光装置列１３０Ａおよび反射調整部１４１の数のみが実施の形態１に係る面光源装置１００と異なる。そこで、実施の形態１に係る面光源装置１００と同様の構成については、同様の符号を付してその説明を省略する。
【００５５】
図６は、実施の形態２に係る、光拡散板１５０を外した面光源装置２００の平面図である。図６に示されるように、本実施の形態に係る面光源装置２００は、筐体１１０と、基板１２０と、発光装置列１３０Ａと、反射板１４０と、光拡散板１５０（図示省略）とを有する。
【００５６】
本実施の形態では、発光装置列１３０Ａは、基板１２０の表面に沿い、第１方向（Ｙ軸方向）に直交する第２方向（Ｘ軸方向）に複数配列されている。本実施の形態では、発光装置列１３０Ａの数は、２列である。また、複数（２列）の発光装置列１３０Ａを第２方向からみたときに、一の発光装置列１３０Ａに含まれる発光装置１３０のぞれぞれは、他の発光装置列１３０Ａに含まれるいずれの発光装置１３０とも一致していない。一の発光装置列１３０Ａと、隣接する他の発光装置列１３０Ａとの間隔は、特に限定されない。一の発光装置列１３０Ａと、隣接する他の発光装置列１３０Ａとの間隔は、面光源装置２００の発光領域の大きさによって適宜設定される。
【００５７】
反射板１４０は、複数の反射調整部１４１を有する。本実施の形態では、反射調整部１４１は、光束制御部材１３２の２つの出射面が対向する方向（Ｘ軸方向）において、底面１１１ａ上の、光束制御部材１３２を挟んだ両側に２つずつ配置されている。
【００５８】
一の反射調整部１４１は、複数の第１反射部１４１Ａと、複数の第２反射部１４１Ｂとが第１方向において交互に一列に配置されている（図６の破線で波込まれた領域参照）。反射調整部１４１は、第２方向（Ｘ軸方向）に複数配列されている。複数の反射調整部１４１を第２方向に沿ってみたときに、一の反射調整部１４１における複数の第１反射部１４１Ａおよび複数の第２反射部１４１Ｂのそれぞれは、他の反射調整部１４１における複数の第１反射部１４１Ａおよび複数の第２反射部１４１Ｂのそれぞれと一致していない。
【００５９】
この場合においても、一の反射調整部１４１における第１反射部１４１Ａおよび第２反射部１４１Ｂは、第１方向に沿って交互に配置されており、第１方向において、隣接する２つの発光装置１３０間の中心間距離は、隣接する第１反射部１４１Ａおよび第２反射部１４１Ｂの合計の繰り返し長さと異なる。第１方向において、隣接する２つの発光装置１３０の中心間距離は、隣接する第１反射部１４１Ａおよび第２反射部１４１Ｂの合計の繰り返し長さより、短くてもよいし、長くてもよい。
【００６０】
（効果）
以上のように、本実施の形態に係る面光源装置２００では、本実施の形態に係る面光源装置１００と同様の効果を有する。
【産業上の利用可能性】
【００６１】
本発明に係る光束制御部材を有する面光源装置は、例えば、液晶表示装置のバックライトや看板、一般照明などに適用できる。
【符号の説明】
【００６２】
１００、２００  面光源装置
１００’  表示装置
１１０  筐体
１１１  底板
１１１ａ  底面
１１２  第１傾斜面
１１３  第２傾斜面
１２０  基板
１３０  発光装置
１３０Ａ  発光装置列
１３１  発光素子
１３２  光束制御部材
１４０  反射板
１４１  反射調整部
１４１Ａ  第１反射部
１４１Ｂ  第２反射部
１４２  反射減少層
１５０  光拡散板
１６０  表示部材（被照射部材）
１７１  入射面
１７２  反射面
１７３  出射面
１７４  鍔部
１７５  脚部
１７６  裏面
１７７  凹部
１７７ａ  内天面
１７７ｂ  内側面
【図１】
2020161370.tif 000003
【図２】
2020161370.tif 000004
【図３】
2020161370.tif 000005
【図４】
2020161370.tif 000006
【図５】
2020161370.tif 000007
【図６】
2020161370.tif 000008